(57)【要約】【課題】  定格荷重が作用した場合でも、過大な曲げモーメントが作用することによる破損の恐れがないとともに、装置全体の厚さを薄くすることができるエレベータのかごの脚光照明装置を得る。【解決手段】  エレベータのかご室内を下方から照らす脚光照明装置において、上面がエレベータのかごのかご室床面の一部を構成する透光部と、上面がエレベータのかごのかご室床面の他部を構成する光源室と、この光源室内に設けられ、透光部の側面に対向する光源とを備える。【選択図】      図２
2005187171.tif 000002
【特許請求の範囲】
【請求項１】
上面がエレベータのかごのかご室床面の一部を構成する透光部と、上面がエレベータのかごのかご室床面の他部を構成する光源室と、この光源室内に設けられ、前記透光部の側面に対向する光源とを備えたことを特徴とするエレベータのかごの脚光照明装置。
【請求項２】
透光部は、側面が光源と対向する基礎部と、通過する光の光量分布を調整する光調整部と、上面がかご室床面の一部を構成する保護部とを備えたことを特徴とする請求項１に記載のエレベータのかごの脚光照明装置。
【請求項３】
透光部は、その最下部に反射部を備えたことを特徴とする請求項１又は請求項２に記載のエレベータのかごの脚光照明装置。
【請求項４】
透光部上面と光源室上面が面一に設けられ、前記透光部は、下面全体で支持されていることを特徴とする請求項１から請求項３の何れかに記載のエレベータのかごの脚光照明装置。
【請求項５】
光源室は、その上部に、かご室内から開閉可能な蓋が設けられていることを特徴とする請求項１から請求項４の何れかに記載のエレベータのかごの脚光照明装置。
【請求項６】
光源室は、かご室床面の周縁部に設けられ、透光部は、前記光源室の内側の外壁に嵌合するように前記かご室床面の中央部に設けられたことを特徴とする請求項１又は請求項５に記載のエレベータのかごの脚光照明装置。
【発明の詳細な説明】
【技術分野】
【０００１】
この発明は、エレベータのかご室内を下方から照らす脚光照明装置に関するものである。
【背景技術】
【０００２】
従来のエレベータのかごの脚光照明装置には、床面の中央部に設けられて床面から直方形状に下方に凹設された光源室を有するかご床と、光源室に設けられた光源体と、柱状をなし光源室の底面から立設されて光源室の四隅にそれぞれ配置された支持体と、上面が床面位置に配置されて光源室に嵌合状態に装備された透光板と、光源室の内壁と透光板の外端面の間に介装された粘弾性材製の緩衝材と、ピン状をなし上端部が透光板に固定されて支持体位置のそれぞれに対応して設けられ下端が支持体の上端面によって水平方向に変位自在に支持された支持子とを備えたものがある（例えば、特許文献１参照）。
【０００３】
【特許文献１】特開２００２−２２０１７５号公報
【発明の開示】
【発明が解決しようとする課題】
【０００４】
特許文献１記載のエレベータのかごの脚光照明装置では、光源室の上部に嵌合状態に設けられた透光板が、光源室の四隅に設けられた支持体によって支持されているため、透光板の周縁部にまで光源体からの光を導くことができ、かご床の床面に対して光源室の有効開口面積を広く設けることが可能である。しかし、光源室内の光源体は透光板の下方に設置されているため、透光板の下方に光源体の設置スペースが必要になるとともに、透光板から見える光源体の光に斑が生じないようにするため、透光板と光源体との間に所定の間隔を設ける必要もあり、透光板から光源室の下面までの距離を大きく（例えば、実績値として約３００ｍｍ）設定しなければならないという問題があった。また、透光板が光源室の四隅に設置された支持体のみによって支持され、中央部には支持体が設置されていないため、定格荷重が作用した場合等には透光板に過大な曲げモーメントが作用してしまうという問題も生じていた。なお、透光板の中央部を他の支持体で支持した場合には、その影が透光板上に投影されてしまい意匠性の良い脚光照明装置を得ることができなかった。
【０００５】
この発明は、上述のような課題を解決するためになされたもので、その目的は、過大な荷重が作用した場合にも破損する恐れがないとともに、装置全体の厚さを薄くすることができるエレベータのかごの脚光照明装置を提供することである。
【課題を解決するための手段】
【０００６】
この発明に係るエレベータのかごの脚光照明装置は、上面がエレベータのかごのかご室床面の一部を構成する透光部と、上面がエレベータのかごのかご室床面の他部を構成する光源室と、この光源室内に設けられ、透光部の側面に対向する光源とを備えたものである。
【発明の効果】
【０００７】
この発明は、上面がエレベータのかごのかご室床面の一部を構成する透光部と、上面がエレベータのかごのかご室床面の他部を構成する光源室と、この光源室内に設けられ、透光部の側面に対向する光源とを備える構成としたことで、過大な荷重が作用した場合にも破損する恐れがないとともに、装置全体の厚さを薄くすることができる。
【発明を実施するための最良の形態】
【０００８】
実施の形態１．
図１はこの発明の実施の形態１におけるかご室床面の斜視図、図２はこの発明の実施の形態１におけるエレベータのかごの脚光照明装置の断面図である。図において、エレベータのかご枠（図示せず）に設けられたかご床板１には、かご室壁２が立設され、かご室が形成されている。このかご床板１上面には、かご室の周縁部に光源室３が設けられており、この光源室３の内部に光源４が設置されている。この光源４は、蛍光灯、複数の色を発光することができるＬＥＤ、ＬＥＤ等の光源体に接続された光ファイバー等から構成され、かご室中央部側側面３ａの方向に向かって光を放射するように、光源室３の下部に横向きに配置されている。また、光源室３の上部には、かご室壁２側端部を中心として回動し、かご室内から開閉可能な構造を有する蓋５が設けられている。一方、かご床１上面のかご室中央部には、略長方形状を呈する透光部６が、かご室周縁部に設けられた光源室３の内側の側壁に嵌合するように設けられている。この透光部６は、かご床板１の上面から光源室３の蓋５の上面までの高さとほぼ同じ厚みを有しており、この透光部６の上面と光源室３の蓋５の上面とによって、乗客や積載物が実際に乗るかご室床面が略面一に形成されている。この透光部６は、最下層の基礎部７と、中間層の光調整部８と、最上層の保護部９とから構成される多層（３層）構造を呈している。最下層の基礎部７は、透光性を有するガラスやアクリル等から構成され、その下面には、光源４から放射される光に対して高い反射率を有する反射部からなる反射膜７ａが上向きに形成されている。そして、この基礎部７は、多層構造の透光部６の中で最も大きな厚みを有しており、この基礎部７の側面と対向する光源室３のかご室中央部側側面３ａには開口部（図示せず）が設けられている。したがって、この基礎部７の側面は、光源室３のかご室中央部側側面３ａの開口部を介して前述した光源４に対向するように配置されている。また、中間層の光調整部８は、通過する光の光量分布を調整するためのスリットが設けられており、最上層の保護部９は、透光性を有し、定格荷重に対して耐え得る強化ガラス等から構成されて、その上面がかご室床面の一部を構成している。
【０００９】
以上のように構成されたエレベータのかごの脚光照明装置では、光源室３内に設置された光源４から放射された光は、光源室３のかご室中央部側側面３ａに設けられた開口部を通過して、透光部６の最下層である基礎部７の端面からこの基礎部７に入射する。基礎部７に入射した光は、基礎部７の下面に設けられた反射膜７ａによって上向きに反射し、光調整部８に達する。光調整部８に下方から入射した光は、この光調整部８に設けられ、保護部９からかご室内に放射される際に保護部９全体から略均一な光量が放射されるように幅や長さ、形状、数量等が調整されたスリットを通過する。そして、この光調整部８を通過した光が保護部９を介してかご室内に放射される。
【００１０】
この発明の実施の形態１によれば、光源４は、透光部６の側方に設けられているため、かご室床面を構成する透光部６の下方に光源４を設置するスペースを必要としない。さらに、光源４から放射された光が、保護部９からかご室内に放射される際に保護部９全体から略均一な光量が放射されるように調整された光調整部８のスリットを通過するため、保護部９から放射される光の斑、即ち明暗差を減少させることができ、光源４から光調整部８までの光路長を短く設定することが可能となる。したがって、基礎部７の厚さを薄くして光源４を透光部６の基礎部７の側面近傍に設置することが可能となる。このため、透光部６の保護部９及び光源室３の蓋５から構成されるかご室床面と、かご床板１の上面との距離を、透光部６の厚さとなる約６０ｍｍにまで大幅に減少させることができ、エレベータ装置が設置されている建築物の構造的条件によって昇降路のピット深さが十分に確保できない場合でも、かごの脚光照明装置を設置することが可能となる。また、かご室内の乗客が実際に乗る透光部６は、それぞれの層が密着して一体化され、その下面全体がかご床板１に接触して支持されているため、乗客や積載物が透光部６のどの位置にある場合でも、透光部６に対して応力集中や過大な曲げモーメントが作用することはなく、透光部６の破損の恐れがない。そして、かご室の周縁部に設けられた光源室３は、その上部に設けられた蓋５をかご室内から容易に開閉することができるため、その内部に設置された光源４等の保守作業を、作業員がかご室内部で行うことができ、作業性に優れる。また、光源４を多色のＬＥＤ又は光ファイバー等からの光とすることによって、透光部６からかご室内に放射される光の色を容易に変化させることができるので、意匠性の良いエレベータ装置を提供することが可能である。
【００１１】
なお、光源４として光ファイバから出射される光を使用する場合には、光ファイバの接続されたＬＥＤ等の光源体を光源室３内に設置する必要はなく、保守作業が容易で、光ファイバを光源室３から敷設することができる場所に設置することができれば特に問題とはならない。この場合、保守作業が必要となる光源体が、かご室内に設置されていないため、かご室内に蓋５を有する光源室３を設置する必要はない。したがって、光源室３をかご室外部、即ちかご室壁２の反かご室側に設置することによって、かご室床面を透光部６の保護部９のみで構成しても良い。このようにすることによって、かご室床面全体を照らすことができるため、さらに意匠性の良いかごの脚光照明装置を得ることができる。なお、光源４としてＬＥＤ等を使用する場合でも、上記のようにかご室床面を透光部６の保護部９のみで構成し、光源４をかご室外部の基礎部７側面に対向する位置に設置しても良い。この場合、保守作業は従来と同様にかご室内部から行うことはできないが、かご室床面全体を照らすことができるため意匠性に優れた、厚さの薄い脚光照明装置を提供することが可能である。
【００１２】
また、実施の形態１では、透光部６の基礎部７に入射された光源４からの光は、基礎部７の下面に形成された反射膜７ａによって上方に反射される構成を有しているが、基礎部７の下面に反射膜７ａを設けず、基礎部７の下方に上面に反射膜７ａを有する、基礎部７とは異なる反射部を設け、透光部６を４層構造としても実施の形態１と同様の効果を得ることは言うまでもない。また、基礎部７の上面をなし地処理することにより光の拡散によって基礎部７に光調整部８の機能を併せ持つようにさせ、透光部６を基礎部７と保護部９との２層構造としたり、強化ガラスの上面をなし地状にし、下面に反射膜７ａを設けて反射部及び基礎部７、光調整部８、保護部９の全ての機能を備えた単層構造としたりしても、実施の形態１と同様の効果を得ることができる。また、実施の形態１では、かご室の周縁部に光源室３が設けられているが、かご室の全ての縁部に光源室３を設ける必要はなく、必要な光量を得ることが可能であれば、例えば、対向する両側部に光源室３を設け、その他のかご室床面を透光部６で構成するようにしても良い。
【図面の簡単な説明】
【００１３】
【図１】この発明の実施の形態１におけるかご室床面の斜視図である。
【図２】この発明の実施の形態１におけるエレベータのかごの脚光照明装置の断面図である。
【符号の説明】
【００１４】
１  かご床板
２  かご室壁
３  光源室
３ａ  かご室中央部側側面
４  光源
５  蓋
６  透光部
７  基礎部
７ａ  反射膜
８  光調整部
９  保護部
【図１】
2005187171.tif 000003
【図２】
2005187171.tif 000004